(57)【要約】【課題】足場を設置することなく、しかも安全に水圧鉄管の清掃作業を行える装置を提供する。【解決手段】水圧鉄管１を捲回する長さを有するロープ６と、このロープ６に設けられ塵芥６を除去する塵芥除去手段７と、水圧鉄管１を捲回した状態でロープ６を環状に締結する締結手段８とを備える水圧鉄管清掃装置９とする。この水圧鉄管清掃装置９を水圧鉄管１に取り付けた状態でロープ６を手元へ引くと、塵芥除去手段７がスチフナー４に沿って周回し、水圧鉄管１とスチフナー４との接触部に溜まった塵芥５が塵芥除去手段７によって払い落とされて清掃される。【選択図】図５
2008038359.tif 000002
【特許請求の範囲】
【請求項１】
水圧鉄管とこれを補強するスチフナーとの接触部に溜まる落葉等の塵芥を除去する水圧鉄管清掃装置であって、
前記水圧鉄管を捲回する長さを有するロープと、このロープに設けられ前記塵芥を除去する塵芥除去手段と、前記水圧鉄管を捲回した状態で前記ロープを環状に締結する締結手段と、を備えたことを特徴とする水圧鉄管清掃装置。
【請求項２】
前記ロープに、前記スチフナーに吸着する磁石を取り付けたことを特徴とする請求項１に記載の水圧鉄管清掃装置
【請求項３】
前記塵芥除去手段を塵取り形の塵芥掻き取り工具で構成したことを特徴とする請求項１に記載の水圧鉄管清掃装置。
【発明の詳細な説明】
【技術分野】
【０００１】
この発明は、主として水力発電所の水路に設けられた水圧鉄管の清掃装置に関する。
【背景技術】
【０００２】
この種の水圧鉄管は、一般に野外に露出した状態で勾配をつけて設備され、その口径が大きいので水圧鉄管の周囲には、水圧に耐えるように環状で鋼製のスチフナーが設けられている（例えば、特許文献１参照。）。水圧鉄管が傾斜しているので、水圧鉄管とスチフナーとの接触部の上方部分は受け溝状になり、そこに雨水や落葉が溜まりやすく、これを放置すると水圧鉄管の腐食を助長することになって好ましくない。そのため、ウエスやホウキなどを使用して受け溝部分から落葉等を取り除く清掃作業を適宜行う必要がある。
【特許文献１】特開２０００−８０６３３号公報
【発明の開示】
【発明が解決しようとする課題】
【０００３】
水圧鉄管は比較的急で高い傾斜面に設けられていることが多く、これに伴い受け溝部分の清掃作業は高所作業が多くなる。このため、作業の安全性を確保するために、高所のスチフナーのそれぞれに足場を設置する必要があり、清掃作業に多くの時間と費用とが必要になっていた。また、足場を必要としない箇所であっても、水圧鉄管上部に作業員が乗って作業しなければならない場合があり、水圧鉄管の表面は結露していることが多いので滑りやすく大変危険を伴う作業になっていた。
【０００４】
そこでこの発明は、足場を設置することなく、しかも安全に水圧鉄管の清掃作業を行える装置を提供することを課題とするものである。
【課題を解決するための手段】
【０００５】
上記課題を解決するために、請求項１に記載の発明は、水圧鉄管とこれを補強するスチフナーとの接触部に溜まる落葉等の塵芥を除去する水圧鉄管清掃装置であって、前記水圧鉄管を捲回する長さを有するロープと、このロープに設けられ前記塵芥を除去する塵芥除去手段と、前記水圧鉄管を捲回した状態で前記ロープを環状に締結する締結手段と、を備えたことを特徴としている。
【０００６】
作業員は水圧鉄管の一側に位置してロープの一端を水圧鉄管の上方を介して他側へ投げ渡し、その一端を水圧鉄管の下側から引き戻すことによりロープの捲回を行い、締結手段を締結してロープを環状に形成する。そして、このロープを水圧鉄管とスチフナーとの接触部に沿うように周回させると、ロープに設けた塵芥除去手段が接触部上方の受け溝部分を通過し、当該接触部に溜まった落葉等の塵芥が除去され、清掃される。
【０００７】
請求項２に記載の発明は、前記ロープに、前記スチフナーに吸着する磁石を取り付けたことを特徴としている。
【０００８】
スチフナーに吸着する磁石がロープに取り付けられているため、スチフナーに沿ってロープ及び塵芥除去手段を周回移動させることができ、塵芥の溜まりやすい上記接触部が確実に清掃される。
【０００９】
請求項３に記載の発明は、前記塵芥除去手段を塵取り形の塵芥掻き取り工具で構成したことを特徴としている。
【００１０】
塵芥除去手段が塵取り形の塵芥掻き取り工具で構成されているため、塵芥除去手段が水圧鉄管とスチフナーとの接触部を通過することで、当該接触部に溜まった塵芥が塵芥除去手段によって掻き取られ、清掃される。
【発明の効果】
【００１１】
請求項１に記載の発明によれば、水圧鉄管とスチフナーとの接触部を清掃するには、ロープを水圧鉄管に捲回させて環状に締結し、ロープを当該接触部に沿って周回さればよい。このため、従来のように清掃のための足場を組む必要がなく、足場架設に要する時間や費用をなくすことができるとともに、足場に乗っての作業でないため、作業を容易かつ安全におこなうことができる。また、水圧鉄管を周回する長さを有するロープに、これを環状に形成するための締結手段を設け、ロープに塵芥除去手段を配設したものであるため、構成が簡単で製作費も低く抑えられる。さらに、ロープや塵芥除去手段や締結手段は、比較的軽量であるため運搬も容易で、市販品を利用することで安価に製作できる。
【００１２】
請求項２に記載の発明によれば、磁石がスチフナーに吸着することに伴いロープ及びこれに設けた塵芥除去手段がスチフナーに沿うようになり、ロープを周回させることで、最も塵芥が溜まりやすい上記接触部の上方部分を確実に清掃することができるようになる。
【００１３】
請求項３に記載の発明によれば、塵芥除去手段を塵取り形の塵芥掻き取り工具で構成したため、モップやタワシなどの塵芥除去手段では除去（清掃）しにくい土砂などの塵芥を掻き取って除去することができる。
【発明を実施するための最良の形態】
【００１４】
つぎに、この発明の実施の形態について、図面を用いて詳しく説明する。
【００１５】
（実施の形態１）
図１ないし図３は、本発明が適用される水圧鉄管１を示す説明図で、高所の貯水池２から低所の発電所３へ水を導く大口径の水圧鉄管１には、適当な間隔で環状の鋼製スチフナー４が補強用に取り付けられている。そして、水圧鉄管１とスチフナー４との接触部の上方部分には、落葉や雨水、土砂などの塵芥５が溜りやすくなっている。
【００１６】
図４ないし図６は、このような塵芥５を除去（除塵）するための水圧鉄管清掃装置９を示す図であり、この水圧鉄管清掃装置９は、主として、ロープ６と、塵芥除去手段７と、締結手段８とを備えている。ロープ６は、大口径の水圧鉄管１を捲回する程度の長さを有し、合成繊維、植物繊維、金属などで形成されている。また、ロープ６には、スチフナー４の側面に吸着する側面磁石１１が設けられ、その吸着によってロープ６がスチフナー４に沿って配置されるようになっている。塵芥除去手段７は、モップで構成され、適当な距離を隔ててロープ６に複数取り付けられている。すなわち、バンド１０によって、塵芥除去手段７がロープ６に取り付けられている。締結手段８は、一対の締結磁石８ａ、８ａで構成され、それぞれがロープ６の端部に配設されている。そして、ロープ６を水圧鉄管１に捲回した状態で、締結磁石８ａ、８ａが互いに吸着してロープ６が環状に形成されるようになっている。このようなロープ６と側面磁石１１と塵芥除去手段７との位置関係（配設関係）は、次のようになっている。すなわち、ロープ６が水圧鉄管１に捲回された状態で、図６に示すように、ロープ６と水圧鉄管１との間に塵芥除去手段７が位置し、側面磁石１１がスチフナー４の側面に位置し、塵芥除去手段７が水圧鉄管１とスチフナー４とに接触する（水圧鉄管１とスチフナー４との接触部に位置する）ようになっている。
【００１７】
つぎに、このような構成の水圧鉄管清掃装置９の作用などについて説明する。
【００１８】
まず、作業員が水圧鉄管１の側方に位置し、ロープ６の一端を水圧鉄管１の上方から向こう側および下側を巡回させて適当な手法で手元へと戻す。例えば、締結手段８が締結磁石８ａ、８ａで構成されているので、ロープ６の一端の締結磁石８ａを先ず水圧鉄管１に吸着させる。そして、ロープ６の曲げ強さを利用して他端の締結磁石８ａを押し出すように水圧鉄管１の表面に沿ってロープ６を繰り出すと、ロープ６の他端が水圧鉄管１の表面から離れることなく水圧鉄管１を一周して手元へと戻る。そして、締結手段８によってロープ６の両端部を締結すると、ロープ６が水圧鉄管１に環状に捲回され、上記のように、塵芥除去手段７が水圧鉄管１とスチフナー４とに接触した状態となる。さらに、側面磁石１１の吸着力（磁力）によって、側面磁石１１がスチフナー４の側面に吸着した状態となる。
【００１９】
この状態でロープ６を手元へ引くと、側面磁石１１がスチフナー４の側面に吸着しながら、塵芥除去手段７がスチフナー４に沿って周回し、水圧鉄管１とスチフナー４との接触部に溜まった塵芥５が塵芥除去手段７によって払い落とされて清掃される。また、清掃が終了した際には、締結手段８を解除し（締結磁石８ａ、８ａを離し）、ロープ６を水圧鉄管１から引き離すことで、水圧鉄管清掃装置９を水圧鉄管１から取り外すことができる。
【００２０】
以上のように、本水圧鉄管清掃装置９によれば、従来のように高所のスチフナー４のそれぞれに足場を設置することなく、水圧鉄管１とスチフナー４との接触部を清掃することができる。このため、清掃作業の安全性が著しく向上するとともに、足場架設に要する時間や費用をなくし、清掃費用を低減することができる。しかも、上記のように、ロープ６を水圧鉄管１に捲回して締結手段８で締結するだけで、水圧鉄管清掃装置９を取り付けられ、締結手段８を解除してロープ６を水圧鉄管１から引き離すだけで、水圧鉄管清掃装置９を取り外すことができるため、水圧鉄管１への取り付け、取り外しが容易である。また、ロープ６や、塵芥除去手段７を構成するモップや、締結手段８を構成する締結磁石８ａは、比較的軽量であるため運搬も容易で、市販品を利用することで安価に製作できる。
【００２１】
さらに、側面磁石１１がスチフナー４の側面に吸着するため、上記のように、塵芥除去手段７がスチフナー４に沿って確実に周回し、常に塵芥除去手段７が水圧鉄管１とスチフナー４との接触部に位置する。このため、塵芥除去手段７が当該接触部から離れることがなく、塵芥５が溜まる当該接触部を確実に清掃することができ、塵芥除去効率が高まる。
【００２２】
（実施の形態２）
この実施の形態に係る水圧鉄管清掃装置２０は、図７及び図８に示すように、塵芥除去手段１３が、塵取り形の塵芥掻き取り工具で構成されている点で、実施の形態１と構成が異なるものである。なお、実施の形態１と同等の構成については、同一符号を付して説明する。
【００２３】
この塵芥除去手段１３（塵芥掻き取り工具）は合成樹脂製で、その底板１３ｄが水圧鉄管１の円弧に沿うように湾曲に形成されている。塵芥除去手段１３の前端部１３ａは、ヘラ形に薄くなっており、後端部１３ｂにロープ６が貫通した状態で、塵芥除去手段１３がロープ６に取り付けられている。また、スチフナー４側の側壁１３ｃの外面には、スチフナー４に吸着する側面磁石１１が設けられ、さらに底板１３ｄの外面には、水圧鉄管１に吸着し、底板１３ｄの湾曲に沿って形成された底面磁石１２が設けられている。
【００２４】
このような構成の水圧鉄管清掃装置２０を用いて、水圧鉄管１とスチフナー４との接触部を清掃するには、まず実施の形態１と同様にして、ロープ６を水圧鉄管１に環状に捲回し、水圧鉄管清掃装置２０を水圧鉄管１に取り付ける。これにより、塵芥除去手段１３が水圧鉄管１とスチフナー４とに接触した（水圧鉄管１とスチフナー４との接触部に位置した）状態となる。さらに、磁石１１、１２の吸着力によって、側面磁石１１（側壁１３ｃ）がスチフナー４の側面に吸着し、底面磁石１２（底板１３ｄ）が水圧鉄管１に吸着した状態となる。この状態でロープ６を手元へ引くと、側壁１３ｃと底板１３ｄとがそれぞれスチフナー４と水圧鉄管１とに沿いながら、塵芥除去手段１３が周回し、水圧鉄管１とスチフナー４との接触部に溜まった塵芥５が塵芥除去手段１３によって掻き取られて清掃される。
【００２５】
このように塵芥除去手段１３が塵芥掻き取り工具で構成されているため、塵芥５がモップなどでは除去しにくい土砂や大量に堆積している場合などであっても、塵芥５を塵芥除去手段１３によって掻き取り、良好に清掃することが可能となる。
【００２６】
以上、この発明の実施の形態１、２について説明したが、具体的な構成は、これらの実施の形態１、２に限られるものではなく、この発明の要旨を逸脱しない範囲の設計の変更等があっても、この発明に含まれる。例えば、ロープ６を形状記憶機能を持った材料や、ばね性を有する材料で構成し、ロープ６を水圧鉄管１に沿わせると、形状記憶機能やばね性によって、ロープ６が水圧鉄管１に巻きつくようにしてもよい。すなわち、ロープ６そのものに締結手段（締結機能）を持たせるようにしてもよい。また、発明の実施１における塵芥除去手段７をタワシやウエスで構成してもよく、締結手段８としてフックなどの機械的締結手段を採用してもよい。
【図面の簡単な説明】
【００２７】
【図１】本発明が適用される水圧鉄管を示す説明図である。
【図２】図１の要部の拡大図である。
【図３】図２のＡ−Ａ断面図である。
【図４】本発明の実施の形態１に係る水圧鉄管清掃装置を水圧鉄管に取り付けた状態を示す側面図である。
【図５】図４のＢ−Ｂ断面図である。
【図６】図５のＣ−Ｃ断面図である。
【図７】本発明の実施の形態２に係る水圧鉄管清掃装置を水圧鉄管に取り付けた状態を示す拡大正面図（一部断面図）である。
【図８】本発明の実施の形態２に係る水圧鉄管清掃装置を水圧鉄管に取り付けた状態を示す拡大平面図（図７の平面図）である。
【符号の説明】
【００２８】
１          水圧鉄管
４          スチフナー
５          塵芥
６          ロープ
７          塵芥除去手段
８          締結手段
８ａ        締結磁石
９、２０    水圧鉄管清掃装置
１０        バンド
１１        側面磁石
１２        底面磁石
１３        塵芥除去手段（塵芥掻き取り工具）
【図１】
2008038359.tif 000003
【図２】
2008038359.tif 000004
【図３】
2008038359.tif 000005
【図４】
2008038359.tif 000006
【図５】
2008038359.tif 000007
【図６】
2008038359.tif 000008
【図７】
2008038359.tif 000009
【図８】
2008038359.tif 000010